(57)【要約】【課題】異常である太陽電池モジュールを精度良く検出する。【解決手段】検査システムは、互いに直列接続され、且つ各々がバイパスダイオードを有する複数の太陽電池モジュールを検査する検査システムである。当該検査システムは、複数の太陽電池モジュールの温度分布を測定する測定部と、制御部とを備える。制御部は、測定部が温度分布を測定する際に、複数の太陽電池モジュールの出力特性に基づいて、複数の太陽電池モジュールの電圧が、複数の太陽電池モジュールの電流特性が変化する複数の電圧範囲のそれぞれに含まれるように、制御する。【選択図】図１
2019176636.tif 000002
【特許請求の範囲】
【請求項１】
互いに直列接続され、且つ各々がバイパスダイオードを有する複数の太陽電池モジュールを検査する検査システムであって、
前記複数の太陽電池モジュールの温度分布を測定する測定部と、
前記測定部が前記温度分布を測定する際に、前記複数の太陽電池モジュールの出力特性に基づいて、前記複数の太陽電池モジュールの電圧が、前記複数の太陽電池モジュールの電流特性が変化する複数の電圧範囲のそれぞれに含まれるように、制御する制御部と、
を備える、検査システム。
【請求項２】
前記複数の太陽電池モジュールの電圧を調整する調整部を備え、
前記制御部は、前記調整部を制御して前記複数の太陽電池モジュールの前記出力特性を取得し、取得した当該出力特性に基づいて前記複数の電圧範囲を設定する、請求項１に記載の検査システム。
【請求項３】
前記制御部は、設定した前記電圧範囲と、当該電圧範囲における前記温度分布とを対応付ける、請求項１又は２に記載の検査システム。
【請求項４】
前記制御部は、前記出力特性の所定電圧領域における電流に対する前記所定電圧領域より高い電圧領域における電流の割合が閾値を下回るとき、前記複数の太陽電池モジュールの少なくとも１つが異常であると判定する、請求項１乃至３の何れか一項に記載の検査システム。
【請求項５】
前記制御部は、
前記出力特性に基づいて、電圧に対する電力の変化率を算出し、複数の電圧値において当該変化率が０となるとき、前記複数の太陽電池モジュールのうちの少なくとも１つの前記太陽電池モジュールが異常であると判定する、請求項１乃至３の何れか一項に記載の検査システム。
【請求項６】
前記制御部は、前記複数の太陽電池モジュールのうちの少なくとも１つの前記太陽電池モジュールが異常であると判定するとき、前記複数の電圧範囲を設定する、請求項４又は５に記載の検査システム。
【請求項７】
前記制御部は、
前記出力特性において、電圧に対する電力の変化率を算出し、
算出した変化率が、電圧の増加に従い、負から正に変化した後に正から負に変化する電圧領域に基づいて、前記電圧範囲を設定する、請求項１乃至６の何れか一項に記載の検査システム。
【請求項８】
前記制御部は、所定電圧と、前記変化率が電圧の増加に従い最初に正から負に変化する電圧とに基づいて、複数の前記電圧範囲のうち、最も低い電圧範囲を設定する、請求項７に記載の検査システム。
【請求項９】
前記制御部は、前記測定部が測定した前記温度分布に基づいて、異常である前記太陽電池モジュールの位置情報を取得する、請求項１乃至８の何れか一項に記載の検査システム。
【請求項１０】
前記制御部は、前記複数の太陽電池モジュールの電圧が、前記複数の電圧範囲において高い電圧範囲から低い電圧範囲の順になるように、制御する、請求項１乃至９の何れか一項に記載の検査システム。
【請求項１１】
前記測定部は、赤外線カメラを含んで構成される、請求項１乃至１０の何れか一項に記載の検査システム。
【請求項１２】
互いに直列接続され、且つ各々がバイパスダイオードを有する複数の太陽電池モジュールを検査する検査装置であって、
前記複数の太陽電池モジュールの温度分布を測定する測定部が前記温度分布を測定する際に、前記複数の太陽電池モジュールの出力特性に基づいて、前記複数の太陽電池モジュールの電圧が、前記複数の太陽電池モジュールの電流特性が変化する複数の電圧範囲内になるように、制御する、検査装置。
【請求項１３】
互いに直列接続され、且つ各々がバイパスダイオードを有する複数の太陽電池モジュールを検査する検査方法であって、
測定部によって、前記複数の太陽電池モジュールの温度分布を測定するステップと、
前記測定部が前記温度分布を測定する際に、前記複数の太陽電池モジュールの出力特性に基づいて、前記複数の太陽電池モジュールの電圧が、前記複数の太陽電池モジュールの電流特性が変化する複数の電圧範囲内のそれぞれに含まれるように、制御するステップと、を含む、検査方法。
【発明の詳細な説明】
【技術分野】
【０００１】
本開示は、検査システム、検査装置及び検査方法に関する。
【背景技術】
【０００２】
従来、太陽電池において故障等の異常を検出する方法が知られている（例えば、特許文献１）。特許文献１に記載の方法では、太陽電池セル毎に並列接続されるバイパスダイオードの代わりに、発光ダイオードを用いる。特許文献１に記載の方法では、当該発光ダイオードの点灯を確認することにより、異常が生じた太陽電池セルを検出する。
【先行技術文献】
【特許文献】
【０００３】
【特許文献１】特開２００７−２８１３１９号公報
【発明の概要】
【発明が解決しようとする課題】
【０００４】
しかしながら、特許文献１に記載の方法では、異常が生じた太陽電池セルを精度良く検出できない場合がある。
【０００５】
例えば、特許文献１に記載の方法では、異常が生じた太陽電池を検出するときに、太陽電池が発電している必要がある。そのため、特許文献１に記載の方法では、太陽光が照射される昼間等に、異常が生じた太陽電池を検査することが求められる。しかしながら、太陽光が照射される昼間等では、発光ダイオードの点灯が、周囲の太陽光に紛れて、確認しにくくなる場合がある。発光ダイオードの点灯が確認しにくいと、異常が生じた太陽電池ストリングを良好に検出できない場合がある。
【０００６】
また、例えば、特許文献１に記載の方法では、太陽電池セルの劣化の度合いが小さい場合でも、当該太陽電池セルに並列接続された発光ダイオードが、点灯してしまう場合がある。そのため、劣化の度合いが小さく交換の必要がない太陽電池セルも、異常が生じた太陽電池として検出されてしまい、交換の対象となる場合がある。
【０００７】
本開示は、異常である太陽電池モジュールを精度良く検出する検査システム、検査装置及び検査方法を提供することを目的とする。
【課題を解決するための手段】
【０００８】
本開示の一実施形態に係る検査システムは、互いに直列接続され、且つ各々がバイパスダイオードを有する複数の太陽電池モジュールを検査する検査システムである。当該検査システムは、前記複数の太陽電池モジュールの温度分布を測定する測定部と、制御部とを備える。前記制御部は、前記測定部が前記温度分布を測定する際に、前記複数の太陽電池モジュールの出力特性に基づいて、前記複数の太陽電池モジュールの電圧が、前記複数の太陽電池モジュールの電流特性が変化する複数の電圧範囲のそれぞれに含まれるように制御する。
【０００９】
本開示の一実施形態に係る検査装置は、互いに直列接続され、且つ各々がバイパスダイオードを有する複数の太陽電池モジュールを検査する検査装置である。当該検査装置は、測定部が前記温度分布を測定する際に、前記複数の太陽電池モジュールの出力特性に基づいて、前記複数の太陽電池モジュールの電圧が、前記複数の太陽電池モジュールの電流特性が変化する複数の電圧範囲のそれぞれに含まれるように制御する。前記測定部は、前記複数の太陽電池モジュールの温度分布を測定する。
【００１０】
本開示の一実施形態に係る検査方法は、互いに直列接続され、且つ各々がバイパスダイオードを有する複数の太陽電池モジュールを検査する検査方法である。当該検査方法は、測定部によって、前記複数の太陽電池モジュールの温度分布を測定するステップを含む。さらに、前記検査方法は、前記測定部が前記温度分布を測定する際に、前記複数の太陽電池モジュールの出力特性に基づいて、前記複数の太陽電池モジュールの電圧が、複数の電圧範囲のそれぞれに含まれるように、制御するステップを含む。当該電圧範囲は、前記複数の太陽電池モジュールの電流特性が変化する電圧範囲である。
【発明の効果】
【００１１】
本開示の一実施形態に係る太陽電池の検査システムによれば、異常である太陽電池モジュールを精度良く検出する検査システム、検査装置及び検査方法が提供され得る。
【図面の簡単な説明】
【００１２】
【図１】本開示の一実施形態に係る太陽光発電システムの概略構成を示す図である。
【図２】図１に示す太陽電池モジュールの構成を示す図である。
【図３】図１に示す太陽電池ストリングが有する各太陽電池モジュールの電流電圧特性の一例を示すグラフである。
【図４】図１に示す太陽電池ストリングの電流電圧特性の一例を示すグラフである。
【図５】図４に示す電圧範囲Ｔ１における太陽電池ストリングの温度分布の模式図である。
【図６】図４に示す電圧範囲Ｔ２における太陽電池ストリングの温度分布の模式図である。
【図７】図４に示す電圧範囲Ｔ３における太陽電池ストリングの温度分布の模式図である。
【図８】図１に示す検査装置の動作を示すフローチャートである。
【図９】本開示の他の実施形態に係る太陽電池ストリングの電力電圧特性の一例を示すグラフである。
【図１０】本開示の他の実施形態に係る太陽電池ストリングの電力電圧特性の別の例を示すグラフである。
【図１１】図９に示す電力電圧特性における電力変化率を示すグラフである。
【図１２】図１０に示す電力電圧特性における電力変化率を示すグラフである。
【図１３】本開示の他の実施形態に係る検査装置の動作を示すフローチャートである。
【発明を実施するための形態】
【００１３】
以下、本開示に係る実施形態について、図面を参照して説明する。
【００１４】
［システム構成］
図１は、本開示の一実施形態に係る太陽光発電システム１の概略構成を示す図である。図２は、図１に示す太陽電池モジュール１２の構成を示す図である。
【００１５】
図１に示す太陽光発電システム１は、需要家施設に設置され得る。図１に示すように、太陽光発電システム１は、商用電力系統２に接続され得る。太陽光発電システム１は、発電電力を負荷３に供給することができる。負荷３は、需要家施設に設置される任意の電気機器等であってよい。
【００１６】
図１に示すように、太陽光発電システム１は、検査システム４と、太陽電池１０と、接続箱２０と、電力変換装置３０とを備える。検査システム４は、測定部４０と、検査装置５０とを有する。
【００１７】
太陽電池１０は、太陽電池ストリング１１−１，１１−２，１１−３を有する。図１に示す太陽電池１０は、３つの太陽電池ストリングを有する。ただし、太陽電池１０が有する太陽電池ストリングの数は、２個以下であってよいし、４個以上であってよい。
【００１８】
太陽電池ストリング１１−１，１１−２，１１−３は、検査装置５０を介して接続箱２０にそれぞれ接続される。太陽電池ストリング１１−１，１１−２，１１−３には、同様の構成を採用することができる。以後、太陽電池ストリング１１−１，１１−２，１１−３を特に区別しない場合、単に「太陽電池ストリング１１」と記載する。
【００１９】
太陽電池ストリング１１は、互いに直列接続された複数の太陽電池モジュール１２を有する。例えば、図１に示す太陽電池ストリング１１は、互いに直列接続された４つの太陽電池モジュール１２−１，１２−２，１２−３，１２−４を有する。ただし、太陽電池ストリング１１が有する太陽電池モジュールの数は、３個以下であってよいし、５個以上であってよい。なお、太陽電池モジュール１２−１，１２−２，１２−３，１２−４は、同一仕様を満たすよう製造された太陽電池モジュールであるものとする。換言すると、使用開始初期において、太陽電池モジュール１２−１，１２−２，１２−３，１２−４の仕様上の電流電圧特性はほぼ同一であるものとする。本実施形態では、太陽電池ストリング１１は、劣化した太陽電池モジュール１２を有する場合があるものとする。
【００２０】
太陽電池モジュール１２−１〜１２−４には、同様の構成を採用することができる。以後、太陽電池モジュール１２−１〜１２−４を特に区別しない場合、単に「太陽電池モジュール１２」と記載する。
【００２１】
一実施形態では、異常である太陽電池モジュール１２が、検査システム４によって検出される。ここで、本開示において「異常である太陽電池モジュール１２」とは、太陽電池ストリング１１が有する複数の太陽電池モジュール１２の中で、他の太陽電池モジュール１２よりも、発電電流が小さくなる太陽電池モジュール１２を意味する。その他、「異常である太陽電池モジュール１２」とは、例えば太陽電池モジュール１２の何れかの特性が、当該特性について設定した所定範囲外になるものであってよい。太陽電池モジュール１２が異常である場合には、当該太陽電池モジュール１２の劣化の度合いが、他の太陽電池モジュール１２よりも大きい場合が含まれてよい。また、太陽電池モジュール１２が異常である場合には、当該太陽電池モジュール１２が故障した場合が含まれてよい。
【００２２】
また、本開示において「正常である太陽電池モジュール１２」とは、太陽電池ストリング１１が有する複数の太陽電池モジュール１２の中で、発電電流が最も大きい太陽電池モジュール１２を意味する。また、本開示において「正常である太陽電池モジュール１２」とは、太陽電池ストリング１１が有する複数の太陽電池モジュール１２の中で、発電電流が最も大きい他の太陽電池モジュール１２と発電電流が同等になる太陽電池モジュール１２を意味する。その他、「正常である太陽電池モジュール１２」とは、例えば太陽電池モジュール１２の何れかの特性が、当該特性について設定した所定範囲内であるものであってよい。太陽電池モジュール１２が正常である場合には、当該太陽電池モジュール１２の劣化の度合いが最も小さい場合が含まれてよい。また、太陽電池モジュール１２が正常である場合には、当該太陽電池モジュール１２の劣化の度合いが、劣化の度合いが最も小さい他の太陽電池モジュール１２と同程度になる場合が含まれてよい。
【００２３】
図２に示すように、太陽電池モジュール１２は、クラスタ１３−１，１３−２，１３−３と、バイパスダイオード１５−１，１５−２，１５−３と、正極端子Ｐ１と、負極端子Ｐ２とを有する。図２に示す太陽電池モジュール１２は、３個のクラスタ及びバイパスダイオードを有する。ただし、太陽電池モジュール１２が有するクラスタ及びバイパスダイオードの数は、２個以下であってよいし、４個以上であってよい。
【００２４】
正極端子Ｐ１は、他の太陽電池モジュール１２に直列接続される際、当該他の太陽電池モジュール１２の負極端子に接続される。負極端子Ｐ２は、他の太陽電池モジュール１２に直列接続される際、当該他の太陽電池モジュール１２の正極端子に接続される。
【００２５】
クラスタ１３−１，１３−２，１３−３は、正極端子Ｐ１と負極端子Ｐ２との間に、互いに直列接続される。クラスタ１３−１，１３−２，１３−３には、同様の構成を採用することができる。以後、クラスタ１３−１，１３−２，１３−３を特に区別しない場合、単に「クラスタ１３」と記載する。
【００２６】
ここで、本開示において「異常であるクラスタ１３」とは、太陽電池ストリング１１が備える複数の太陽電池モジュール１２がそれぞれ有する複数のクラスタ１３の中で、他のクラスタ１３よりも、発電電流が小さくなるクラスタ１３を意味する。その他、「異常であるクラスタ１３」とは、例えばクラスタ１３の何れかの特性が、当該特性について設定した所定範囲外になるものであってよい。クラスタ１３が異常である場合には、当該クラスタ１３の劣化の度合いが、他のクラスタ１３よりも大きい場合が含まれてよい。また、クラスタ１３が異常である場合には、当該クラスタ１３が故障した場合が含まれてよい。
【００２７】
また、本開示において「正常であるクラスタ１３」とは、太陽電池ストリング１１が備える複数の太陽電池モジュール１２がそれぞれ有する複数のクラスタ１３の中で、発電電流が最も大きいクラスタ１３を意味する。また、本開示において「正常であるクラスタ１３」は、太陽電池ストリング１１が有する複数のクラスタ１３の中で、発電電流が最も大きい他のクラスタ１３と発電電流が同等になるクラスタ１３を意味する。その他、「正常であるクラスタ１３」とは、例えばクラスタ１３の何れかの特性が、当該特性について設定した所定範囲内であるものであってよい。クラスタ１３が正常である場合には、当該クラスタ１３の劣化の度合いが最も小さい場合が含まれてよい。また、クラスタ１３が正常である場合には、当該クラスタ１３の劣化の度合いが、劣化の度合いが最も小さい他のクラスタ１３と同程度になる場合が含まれてよい。
【００２８】
クラスタ１３は、互いに直列接続された複数の太陽電池セル１４を有する。図２に示すクラスタ１３は、１６個の太陽電池セル１４を有する。ただし、クラスタ１３が有する太陽電池セル１４の数は、１５個以下であってよいし、１７個以上であってよい。
【００２９】
太陽電池セル１４は、太陽光のエネルギーを直流電力に変換する。太陽電池セル１４は、任意の太陽電池であってよい。例えば、太陽電池セル１４は、シリコン系多結晶太陽電池又はシリコン系単結晶太陽電池等であってよい。
【００３０】
バイパスダイオード１５−１は、クラスタ１３−１に並列接続される。バイパスダイオード１５−２は、クラスタ１３−２に並列接続される。バイパスダイオード１５−３は、クラスタ１３−３に並列接続される。バイパスダイオード１５−１，１５−２，１５−３は、１つのケースにまとめて収容されてもよい。
【００３１】
バイパスダイオード１５−１，１５−２，１５−３には、同様の構成を採用することができる。以後、バイパスダイオード１５−１，１５−２，１５−３を特に区別しない場合、単に「バイパスダイオード１５」と記載する。
【００３２】
ここで、バイパスダイオード１５において、当該バイパスダイオード１５に並列接続されたクラスタ１３の発電電流が他のクラスタ１３の発電電流よりも小さくなる場合がある。この場合、発電電流が小さくなるクラスタ１３に並列接続されたバイパスダイオード１５は、その差分の電流を当該バイパスダイオード１５に並列接続されたクラスタ１３を迂回するように、当該バイパスダイオード１５に流す。このような動作によって、正常であるクラスタ１３の発電電流から異常であるクラスタ１３に流れる電流を除いた、残りの電流が、異常であるクラスタ１３を迂回して、異常であるクラスタ１３に並列接続されたバイパスダイオード１５を流れる。以下、このようなバイパスダイオード１５による電流に対する動作を「バイパス」と称する。
【００３３】
例えば、クラスタ１３−３が故障した太陽電池セル１４Ａを有することにより、クラスタ１３−３の発電電流がクラスタ１３−１，１３−２の発電電流よりも小さくなると、バイパスダイオード１５−３は、クラスタ１３−３をバイパスする。このような処理によって、クラスタ１３−１，１３−２の発電電流は、クラスタ１３−３を迂回して、バイパスダイオード１５−３を流れる。
【００３４】
バイパスダイオード１５は、通電することにより、発熱する。換言すると、異常であるクラスタ１３に並列接続されたバイパスダイオード１５は、発熱する。
【００３５】
図１に示す接続箱２０には、検査装置５０を介して、太陽電池ストリング１１−１，１１−２，１１−３が並列接続される。接続箱２０は、太陽電池ストリング１１−１，１１−２，１１−３の直流電力をまとめて、電力変換装置３０に供給する。
【００３６】
図１に示す電力変換装置３０は、接続箱２０から供給される直流電力を交流電力に変換する。電力変換装置３０は、交流電力を、負荷３等に供給する。また、電力変換装置３０は、交流電力を、逆潮流として商用電力系統２に供給してもよい。
【００３７】
図１に示す測定部４０は、検査装置５０の制御に基づいて、太陽電池ストリング１１の温度分布を測定する。より詳細には、測定部４０は、太陽電池ストリング１１が有する複数の太陽電池モジュール１２の温度分布を測定する。測定部４０が測定する温度範囲は、例えば−２０℃〜１５０℃であってよい。測定部４０は、赤外線カメラ（サーモグラフィ）を含んで構成されてよい。ただし、測定部４０は、太陽電池ストリング１１の温度分布を測定可能なものであれば、任意の構成であってよい。測定部４０が測定した温度分布から、温度上昇したバイパスダイオード１５を検出することにより、異常である太陽電池モジュール１２を検出することができる。
【００３８】
図１に示すように、検査装置５０は、調整部５１と、表示部５２と、記憶部５３と、制御部５４とを有する。さらに、検査装置５０は、操作者の入力を受付ける入力部を有してよい。
【００３９】
調整部５１は、制御部５４の制御に基づいて、太陽電池ストリング１１の電圧を調整する。調整部５１は、トランス素子及びスイッチング素子を含んで構成されてよい。さらに、調整部５１は、電流センサ及び電圧センサを含んでよい。
【００４０】
表示部５２は、制御部５４の制御に基づいて、文字、記号及び画像等を含む各種情報を表示する。表示部５２は、液晶パネル、有機ＥＬパネル又は無機ＥＬパネルを含んで構成されてよい。
【００４１】
表示部５２は、操作者の入力を受付けてもよい。換言すると、表示部５２は、入力部としての機能を有してもよい。この場合、表示部５２は、タッチパネルを含んで構成されてよい。
【００４２】
記憶部５３は、半導体メモリ又は磁気メモリ等で構成されてよい。記憶部５３は、各種情報及び／又は検査装置５０を動作させるためのプログラム等を記憶する。記憶部５３は、ワークメモリとして機能してもよい。記憶部５３は、制御部５４に含まれてもよい。
【００４３】
制御部５４は、検査装置５０を構成する各機能ブロックをはじめとして、検査装置５０の全体を制御及び管理するプロセッサである。制御部５４は、制御手順を規定したプログラムを実行するＣＰＵ（Central Processing Unit）等のプロセッサ又は各機能の処理に特化した専用のプロセッサで構成されてよい。
【００４４】
制御部５４は、太陽電池ストリング１１の出力特性を取得する。一実施形態では、制御部５４は、太陽電池ストリング１１の出力特性として、電流電圧特性を取得する。制御部５４は、調整部５１を制御して、太陽電池ストリング１１の電流電圧特性を取得してよい。
【００４５】
制御部５４は、取得した太陽電池ストリング１１の電流電圧特性に基づいて、太陽電池ストリング１１の電流特性が変化する電圧範囲が複数存在すると判定するとき、複数の太陽電池モジュール１２の少なくとも１つが異常であると判定してよい。なお、以下において「電流特性が変化する」とは、電圧に対する電流の関係を示すグラフにおいて、特異点を持たず１つの曲線に沿って変化する部分のことを指すものとする。また、以下に説明するように、太陽電池ストリング１１が有する複数の太陽電池モジュール１２の少なくとも１つが異常であると、電流電圧特性において太陽電池ストリング１１の電流特性が変化する電圧範囲が複数存在する。
【００４６】
［システムの検査原理］
図３は、図１に示す太陽電池ストリング１１が有する各太陽電池モジュール１２の電流電圧特性の一例を示すグラフである。図３は、例えば図１に示した３つの太陽電池ストリング１１のうちの１つの太陽電池ストリング１１が有する各太陽電池モジュール１２の電流電圧特性を示すものとしてよい。図３において、グラフの縦軸は電流［Ａ］を示す。また、グラフの横軸は電圧［Ｖ］を示す。
【００４７】
実線ｓ１は、図１に示す太陽電池モジュール１２−１及び太陽電池モジュール１２−４の電流電圧特性を示すものとする。つまり、太陽電池モジュール１２−１と太陽電池モジュール１２−４とは、同一の電流電圧特性を示す。実線ｓ２は、図１に示す太陽電池モジュール１２−２の電流電圧特性を示すものとする。実線ｓ３は、図１に示す太陽電池モジュール１２−３の電流電圧特性を示すものとする。
【００４８】
実線ｓ１が示すように、太陽電池モジュール１２−１及び太陽電池モジュール１２−４の短絡電流は、８［Ａ］程度である。実線ｓ２が示すように、太陽電池モジュール１２−２の短絡電流は、６［Ａ］程度である。実線ｓ３が示すように、太陽電池モジュール１２−３の短絡電流は、４［Ａ］程度である。
【００４９】
実線ｓ１〜ｓ３から、太陽電池モジュール１２−１及び太陽電池モジュール１２−４の発電電流は、太陽電池モジュール１２−１〜１２−４の中で、最も大きいことが分かる。また、実線ｓ１〜ｓ３から、太陽電池モジュール１２−２の発電電流は、他の太陽電池モジュール１２−１，１２−４よりも、小さいことが分かる。また、実線ｓ１〜ｓ３から、太陽電池モジュール１２−３の発電電流は、太陽電池モジュール１２−１〜１２−４の中で、最も小さいことが分かる。これらの結果から、太陽電池モジュール１２−１及び太陽電池モジュール１２−４は、正常であることが分かる。また、太陽電池モジュール１２−２，１２−３は、異常であることが分かる。
【００５０】
また、実線ｓ２，ｓ３から、異常である太陽電池モジュール１２−２，１２−３において、太陽電池モジュール１２−３の方が異常の度合いが大きいことが分かる。ここで、本開示において「太陽電池モジュール１２の異常の度合いが大きい」とは、当該太陽電池モジュール１２の発電電流の低下の度合いが、他の異常である太陽電池モジュール１２の発電電流の低下の度合いよりも、大きいことを意味する。
【００５１】
また、実線ｓ１〜ｓ３から、太陽電池モジュール１２の電流電圧特性には、１つのカーブが生じることが分かる。具体的には、実線ｓ１が示すように、太陽電池モジュール１２−１及び太陽電池モジュール１２−４の電流電圧特性には、１つのカーブｃ１が生じる。また、実線ｓ２が示すように、太陽電池モジュール１２−１の電流電圧特性には、１つのカーブｃ２が生じる。また、実線ｓ３が示すように、太陽電池モジュール１２−３の電流電圧特性には、１つのカーブｃ３が生じる。
【００５２】
太陽電池モジュール１２の発電電流は、カーブが生じる電圧よりも太陽電池モジュール１２の電圧が低くなるときと、カーブが生じる電圧よりも太陽電池モジュール１２の電圧が高くなるときとで、異なる特性を示す。具体的には、太陽電池モジュール１２の発電電流は、カーブが生じる電圧よりも太陽電池モジュール１２の電圧が低くなるとき、電圧の変化に対してほぼ一定になる。一方、太陽電池モジュール１２の発電電流は、カーブが生じる電圧よりも太陽電池モジュール１２の電圧が高くなるとき、電圧の増加に従い低下する。例えば、太陽電池モジュール１２−１及び太陽電池モジュール１２−４では、カーブｃ１は、２．２［Ｖ］付近で生じる。太陽電池モジュール１２−１，１２−４の発電電流は、実線ｓ１が示すように、太陽電池モジュール１２−１，１２−４の電圧が２．２［Ｖ］よりも低くなるとき、電圧の変化に対してほぼ一定になる。一方、太陽電池モジュール１２−１，１２−４の発電電流は、実線ｓ１が示すように、太陽電池モジュール１２−１，１２−４の電圧が２．２［Ｖ］よりも高くなるとき、電圧の増加に従い低下する。
【００５３】
図４は、図１に示す太陽電池ストリング１１の電流電圧特性を示すグラフである。図４は、図３において電流電圧特性を示した太陽電池モジュール１２−１〜１２−４を有する太陽電池ストリング１１の電流電圧特性を示す。図４において、グラフの縦軸は電流［Ａ］を示す。また、グラフの横軸は電圧［Ｖ］を示す。
【００５４】
実線ｓ１１は、互いに直列接続された図１に示す太陽電池モジュール１２−１〜１２−４を有する太陽電池ストリング１１の電流電圧特性を示すものとする。太陽電池モジュール１２−１〜１２−４は、図３に示す電流電圧特性を有するものとする。
【００５５】
図４において実線ｓ１１が示すように、太陽電池ストリング１１の電圧が６．５［Ｖ］よりも低くなるとき、太陽電池ストリング１１の電流は、８．０［Ａ］程度になる。
【００５６】
太陽電池ストリング１１の電圧が６．５［Ｖ］よりも低くなるとき、太陽電池モジュール１２−２では、バイパスダイオード１５によって、太陽電池モジュール１２−２の発電電流の低下の原因となるクラスタ１３がバイパスされる。同様に、太陽電池モジュール１２−３では、バイパスダイオード１５によって、太陽電池モジュール１２−３の発電電流の低下の原因となるクラスタ１３が、バイパスされる。このような処理によって、太陽電池ストリング１１の電圧が６．５［Ｖ］よりも低くなるとき、太陽電池ストリング１１の発電電流には、正常である太陽電池モジュール１２−１，１２−４の発電電流が含まれる。
【００５７】
図４において実線ｓ１１が示すように、太陽電池ストリング１１の電圧が６．５［Ｖ］となる付近では、太陽電池ストリング１１の電流特性が変化する。以下、この電圧範囲をＴ１とする。電圧範囲Ｔ１の電流電圧特性は、図３に示す太陽電池モジュール１２−１，１２−４のカーブｃ１に起因する。そのため、実線ｓ１１の形状は、電圧範囲Ｔ１では、図３に示すカーブｃ１と近似した形状になる。さらに、電圧範囲Ｔ１では、太陽電池ストリング１１の発電電流は、太陽電池モジュール１２−１，１２−４の電流電圧特性に依拠して変化する。そのため、太陽電池ストリング１１の発電電流は、太陽電池モジュール１２−１，１２−４の短絡電流の８．０［Ａ］程度に近い値になる。
【００５８】
図４において実線ｓ１１が示すように、太陽電池ストリング１１の電圧が８．０［Ｖ］程度になるとき、太陽電池ストリング１１の電流は、６［Ａ］程度になる。
【００５９】
太陽電池ストリング１１の電圧が８．０［Ｖ］程度になると、太陽電池モジュール１２−２では、バイパスダイオード１５によるクラスタ１３のバイパスが解除される。一方、太陽電池モジュール１２−３では、バイパスダイオード１５によって、太陽電池モジュール１２−３の発電電流の低下の原因となるクラスタ１３がバイパスされる。このような処理によって、太陽電池ストリング１１の電圧が８．０［Ｖ］程度になるとき、太陽電池ストリング１１の発電電流には、太陽電池モジュール１２−１，１２−２，１２−４の発電電流が含まれる。
【００６０】
図４において実線ｓ１１が示すように、太陽電池ストリング１１の電圧が８．０［Ｖ］となる付近では、太陽電池ストリング１１の電流特性が変化する。以下、この電圧範囲をＴ２とする。電圧範囲Ｔ２の電流電圧特性は、図３に示す太陽電池モジュール１２−２のカーブｃ２に起因する。そのため、実線ｓ１１の形状は、電圧範囲Ｔ２では、図３に示すカーブｃ２と同様の形状になる。また、電圧範囲Ｔ２では、太陽電池ストリング１１の発電電流は、太陽電池モジュール１２−２の電流電圧特性に依拠して変化する。そのため、太陽電池ストリング１１の発電電流は、太陽電池モジュール１２−２の短絡電流の６．０［Ａ］程度に近い値になる。
【００６１】
図４において実線ｓ１１が示すように、太陽電池ストリング１１の電圧が１０．０［Ｖ］程度になるとき、太陽電池ストリング１１の電流は、４［Ａ］程度になる。
【００６２】
太陽電池ストリング１１の電圧が１０．０［Ｖ］程度になるとき、太陽電池モジュール１２−３において、バイパスダイオード１５によるクラスタ１３のバイパスが解除される。換言すると、太陽電池モジュール１２−１〜１２−４の全てにおいて、バイパスダイオード１５によるクラスタ１３のバイパスは解除される。このような処理によって、太陽電池ストリング１１の電圧が１０．０［Ｖ］程度になるとき、太陽電池ストリング１１の発電電流には、太陽電池モジュール１２−１〜１２−４の発電電流が含まれる。
【００６３】
図４において実線ｓ１１が示すように、太陽電池ストリング１１の電圧が１０．０［Ｖ］となる付近では、太陽電池ストリング１１の電流特性が変化する。以下、この電圧範囲をＴ３とする。電圧範囲Ｔ３の電流電圧特性は、図３に示す太陽電池モジュール１２−３のカーブｃ３に起因する。そのため、実線ｓ１１の形状は、電圧範囲Ｔ３では、図３に示すカーブｃ３と同様の形状になる。また、電圧範囲Ｔ３では、太陽電池ストリング１１の電流は、太陽電池モジュール１２−３の電流電圧特性に依拠する。そのため、太陽電池ストリング１１の発電電流は、太陽電池モジュール１２−３の短絡電流の４．０［Ａ］程度に近い値になる。
【００６４】
このように太陽電池ストリング１１の電流電圧特性には、太陽電池モジュール１２−１〜１２−４の図３に示すカーブｃ１〜ｃ３に起因して、太陽電池ストリング１１の電流特性が変化する電圧範囲Ｔ１〜Ｔ３が存在する。電圧範囲Ｔ１〜Ｔ３は、電流特性が変化する複数の電圧範囲である。
【００６５】
ここで、太陽電池ストリング１１が有する複数の太陽電池モジュール１２の全てが正常であるとき、当該太陽電池ストリング１１の電流電圧特性には、太陽電池ストリング１１の電流特性が変化する電圧範囲が１つ存在する。この理由は、正常である太陽電池モジュール１２同士では、電流電圧特性が、ほぼ同一となるためである。例えば、図３の実線ｓ１が示すように、正常である太陽電池モジュール１２−１の電流電圧特性と、正常である太陽電池モジュール１２−４の電流電圧特性とは、ほぼ同一となる。
【００６６】
一方、太陽電池ストリング１１が有する複数の太陽電池モジュール１２の少なくとも１つが異常であるとき、当該太陽電池ストリング１１の電流電圧特性には、太陽電池ストリング１１の電流特性が変化する複数の電圧範囲が存在する。この理由は、異常である太陽電池モジュール１２の電流電圧特性と、正常である太陽電池モジュール１２の電流電圧特性が、異なるためである。例えば、図３の実線ｓ１と実線ｓ２が示すように、正常である太陽電池モジュール１２−１，１２−４の電流電圧特性と、異常である太陽電池モジュール１２−２の電流電圧特性とは、異なる。ここで、太陽電池ストリング１１は、図１に示すように、複数の太陽電池モジュール１２を互いに直列接続させることにより、構成される。そのため、太陽電池ストリング１１の電流電圧特性は、個々の太陽電池モジュール１２の電流電圧特性において同一電流値に対する電圧値を加算したものとなる。それ故、太陽電池ストリング１１の電流特性が変化する複数の電圧範囲において、高い電圧範囲の方が、発電電流がより小さい太陽電池モジュール１２の電流電圧特性に起因する。換言すると、太陽電池ストリング１１の電流特性が変化する複数の電圧範囲において、高い電圧範囲の方が、異常の度合いが大きい太陽電池モジュール１２の電流電圧特性に起因する。
【００６７】
図１に示す制御部５４は、取得した太陽電池ストリング１１の電流電圧特性に、太陽電池ストリング１１の電流特性が変化する複数の電圧範囲が存在するとき、複数の太陽電池モジュール１２の少なくとも一つが異常であると判定してよい。
【００６８】
例えば、図４では、太陽電池ストリング１１の電流特性の変化が、３つの電圧範囲（電圧範囲Ｔ１，Ｔ２，Ｔ３）において生じる。一実施形態では、制御部５４は、このように、太陽電池ストリング１１の電流特性の変化する複数の電圧範囲が存在するか否かを判定してよい。例えば、制御部５４は、太陽電池ストリング１１の電流特性が変化する複数の電圧範囲が存在するか否かを、太陽電池ストリング１１の電流電圧特性の所定電圧領域における電流と、当該所定電圧領域よりも高い電圧領域における電流とに基づいて、判定してよい。ここで、所定電圧領域は、正常である太陽電池モジュール１２の発電電流のみが、太陽電池ストリング１１の発電電流に含まれる電圧領域であってよい。例えば、所定電圧領域は、太陽電池ストリング１１の発電電流が最も大きくなる電圧領域であって、且つ太陽電池ストリング１１の発電電流が太陽電池ストリング１１の電圧の変化に対してほぼ一定となる電圧領域であってよい。図４では、所定電圧領域は、０．０［Ｖ］〜６．０［Ｖ］の電圧領域であってよい。
【００６９】
例えば、制御部５４は、所定電圧領域における太陽電池ストリング１１の電流に対する、当該所定電圧領域より高い電圧領域における太陽電池ストリング１１の電流の割合を算出してよい。当該所定電圧領域より高い電圧領域は、図４に示す後述の電圧Ｖ１［Ｖ］又は電圧Ｖ２［Ｖ］であってよい。制御部５４は、当該割合が閾値を下回るとき、複数の太陽電池モジュール１２の少なくとも１つが異常であると判定してよい。一例として、閾値は、８０パーセントであってよい。
【００７０】
また、例えば、制御部５４は、太陽電池ストリング１１の電流電圧特性から得られる開放電圧及び短絡電流と、太陽電池モジュール１２の曲線因子（ＦＦ：Ｆｉｌｌ  Ｆａｃｔｏｒ）とに基づいて、図４に示す実線ｓ１２を算出してよい。実線ｓ１２は、太陽電池ストリング１１が有する複数の太陽電池モジュール１２が全て正常である場合の、太陽電池ストリング１１の電流電圧特性を示すものである。また、太陽電池モジュール１２の曲線因子は、太陽電池モジュール１２の性能を評価する指標である。太陽電池モジュール１２の曲線因子は、太陽電池モジュール１２の最大発電電力を、太陽電池モジュール１２の短絡電流及び開放電圧を乗算して算出される電力で割ることにより、算出され得る。太陽電池モジュール１２の曲線因子の値が１に近い方が、太陽電池モジュール１２の発電効率は高くなる。すなわち、太陽電池モジュール１２の曲線因子の値が１に近い方が、太陽電池モジュール１２の性能は高くなる。ここで、太陽電池モジュール１２の曲線因子の値は、太陽電池モジュール１２の製品仕様から得てもよい。又は、太陽電池モジュール１２の曲線因子の値は、太陽電池モジュール１２の製品仕様が不明の場合、太陽電池モジュール１２の実測値を用いてもよいし、代用として太陽電池１０の設置時期における標準的な値（例えば０．７３程度）等を用いてもよい。さらに、制御部５４は、所定電圧領域よりも高い電圧において、それぞれの電圧ごとに実線ｓ１２の電流に対する実線ｓ１１の電流の割合を算出してよい。例えば、制御部５４は、図４では、所定電圧領域より高い電圧Ｖ１［Ｖ］又は電圧Ｖ２［Ｖ］において、実線ｓ１２の電流に対する実線ｓ１１の電流の割合を算出してよい。電圧Ｖ１［Ｖ］及び電圧Ｖ２［Ｖ］は、太陽電池ストリング１１の電流電圧特性に複数の電圧範囲が存在する場合において、隣り合う２つの電圧範囲の境界となり得る電圧である。加えて、制御部５４は、算出した割合が閾値を下回るとき、複数の太陽電池モジュール１２の少なくとも１つが異常であると判定してよい。一例として、閾値は、８０パーセントであってよい。
【００７１】
ここで、制御部５４は、複数の太陽電池モジュール１２の少なくとも一つが異常であると判定するとき、測定部４０に温度分布を測定させてよい。制御部５４は、測定部４０が太陽電池ストリング１１の温度分布を測定する際に、太陽電池ストリング１１の電圧が、太陽電池ストリング１１の電流特性が変化する複数の電圧範囲のそれぞれに含まれるように制御してよい。制御部５４は、取得した電流電圧特性に基づいて、当該複数の電圧範囲を設定してよい。図４では、制御部５４は、複数の電圧範囲として、電圧範囲Ｔ１，Ｔ２，Ｔ３を設定してよい。以下、このような処理によって得られる太陽電池ストリング１１の温度分布について説明する。
【００７２】
図５は、図４に示す電圧範囲Ｔ１における太陽電池ストリング１１の温度分布の模式図である。図５は、４つの太陽電池モジュール１２を備える、１つの太陽電池ストリング１１の温度分布を模式的に示す図である。図５では、他の領域と比較して温度が高くなる箇所を黒く塗りつぶして示す。
【００７３】
電圧範囲Ｔ１では、上述のように、太陽電池モジュール１２−２，１２−３がそれぞれ有するバイパスダイオード１５が通電する。つまり、電圧範囲Ｔ１では、太陽電池モジュール１２−２，１２−３がそれぞれ有するバイパスダイオード１５が、通電することにより、発熱する。そのため、図５に示すように、太陽電池モジュール１２−２，１２−３には、温度が上昇する箇所が生じる。
【００７４】
ここで、図２を参照して上述したように、各太陽電池モジュール１２は、３つのバイパスダイオード１５−１，１５−２，１５−３を有する。上述のように、これら３つのバイパスダイオード１５−１，１５−２，１５−３は、１つのケースにまとめて収容される。そのため、バイパスダイオード１５−１，１５−２，１５−３の何れかが発熱すると、当該ケース自体の温度が上昇する。また、当該ケースは、図２に示す太陽電池モジュール１２内の紙面右側に配置される。そのため、バイパスダイオード１５−１，１５−２，１５−３の何れかが発熱すると、図５に示すように、太陽電池モジュール１２内の紙面右側の温度が上昇する。ただし、図２及び図５に示すバイパスダイオードの位置は、一例を示すものである。バイパスダイオードの位置は、各太陽電池モジュール１２に設置されたバイパスダイオードの温度分布を測定部４０が測定可能であれば、任意の位置としてよい。
【００７５】
図６は、図４に示す電圧範囲Ｔ２における太陽電池ストリング１１の温度分布の模式図である。図６は、４つの太陽電池モジュール１２を備える、１つの太陽電池ストリング１１の温度分布を模式的に示す図である。図６では、他の領域と比較して温度が高くなる箇所を黒く塗りつぶして示す。
【００７６】
電圧範囲Ｔ２では、上述のように、太陽電池モジュール１２−３が有するバイパスダイオード１５が通電する。つまり、電圧範囲Ｔ２では、太陽電池モジュール１２−３が有するバイパスダイオード１５が、通電することにより、発熱する。そのため、図６に示すように、太陽電池モジュール１２−３には、温度が上昇する箇所が生じる。
【００７７】
図７は、図４に示す電圧範囲Ｔ３における太陽電池ストリング１１の温度分布の模式図である。図７は、４つの太陽電池モジュール１２を備える、１つの太陽電池ストリング１１の温度分布を模式的に示す図である。図７では、他の領域と比較して温度が高くなる箇所を黒く塗りつぶして示す。
【００７８】
電圧範囲Ｔ３では、上述のように、太陽電池モジュール１２−１〜１２−４の全てにおいて、バイパスダイオード１５によるクラスタ１３のバイパスは解除される。そのため、図７に示すように、太陽電池モジュール１２−１〜１２−４の全てにおいて、温度が上昇する箇所が生じない。
【００７９】
図５〜図７から分かるように、異常の度合いが大きい太陽電池モジュール１２の方が、バイパスダイオード１５が発熱する電圧範囲が高くなる。例えば、異常の度合いが大きい太陽電池モジュール１２−３が有するバイパスダイオード１５は、図６に示すように電圧範囲Ｔ２で発熱する。また、図５〜図７から分かるように、異常の度合いが小さい太陽電池モジュール１２の方が、バイパスダイオード１５が発熱する電圧範囲が低くなる。例えば、異常の度合いが小さい太陽電池モジュール１２−２が有するバイパスダイオード１５は、図５に示すように電圧範囲Ｔ１で発熱する。
【００８０】
図１に示す制御部５４は、設定した電圧範囲と、当該電圧範囲における温度分布とを対応付けてよい。例えば、制御部５４は、図４に示す電圧範囲Ｔ１〜Ｔ３と、図５〜図７に示す温度分布とをそれぞれ対応付けてよい。この場合、制御部５４は、図４に示す電圧範囲Ｔ１〜Ｔ３にそれぞれ対応付けた図５〜図７に示す温度分布を、表示部５２に表示させてよい。又は、制御部５４は、図４に示す電圧範囲Ｔ１〜Ｔ３と、図５〜図７に示す温度分布とを対応付けて、記憶部５３に格納してもよい。上述のように、異常の度合いが大きい太陽電池モジュール１２が有するバイパスダイオード１５の方が、高い電圧範囲で発熱する。設定した電圧範囲と当該電圧範囲における温度分布とを対応付けることで、太陽電池モジュール１２の異常の度合いを容易に把握することができる。
【００８１】
制御部５４は、測定部４０が測定した温度分布に基づいて、異常である太陽電池モジュール１２の位置情報を取得してよい。当該位置情報は、１つの太陽電池ストリング１１における太陽電池モジュール１２の座標であってよい。当該位置情報は、太陽電池１０における太陽電池モジュール１２の座標であってもよい。異常である太陽電池モジュール１２の位置情報を取得することで、施工業者等は、異常である太陽電池モジュール１２を速やかに確認することができる。
【００８２】
制御部５４は、測定部４０が太陽電池ストリング１１の温度分布を測定する際に、太陽電池ストリング１１の電圧が、複数の電圧範囲Ｔ１〜Ｔ３において高い電圧範囲から低い電圧範囲の順になるように、制御してよい。ここで、バイパスダイオード１５の温度は、当該バイパスダイオード１５が通電することにより一度上昇すると、当該バイパスダイオード１５が通電しなくなっても、下がるのにある程度時間がかかる場合がある。また、太陽電池ストリング１１の電圧が低い方が、バイパスダイオード１５に流れる電流がより大きくなる。そのため、太陽電池ストリング１１の電圧が低い方が、バイパスダイオード１５の温度は高くなる。これらの要素に起因して、太陽電池ストリング１１の電圧が低い電圧範囲から高い電圧範囲の順になるよう制御すると、低い電圧範囲から高い電圧範囲に変更する際、通電していないバイパスダイオード１５が、余熱を帯びている場合がある。この場合、バイパスダイオード１５が通電していないにも関わらず、当該バイパスダイオード１５が通電していると誤検出してしまう場合がある。この誤検出を防ぐために、低い電圧範囲から高い電圧範囲に変更する際、低い電圧範囲で発熱したバイパスダイオード１５の温度が下がるまで待機することが必要になる場合もある。従って、太陽電池ストリング１１の電圧が高い電圧範囲から低い電圧範囲の順になるように制御することにより、バイパスダイオード１５が通電していると誤検出してしまうことを防ぐことができる。さらに、太陽電池ストリング１１の電圧が高い電圧範囲から低い電圧範囲の順になるように制御することにより、太陽電池ストリング１１の温度分布の測定に要する作業時間を短縮化し、測定部４０による温度分布の測定をスムーズに実行することができる。また、太陽電池ストリング１１の電圧が高い電圧範囲から低い電圧範囲の順になるように制御されることにより、異常の度合いが最も大きい太陽電池モジュール１２から１つずつ順番に電圧範囲と温度分布とを対応付けることができる。
【００８３】
［システムの動作］
図８は、図１に示す検査装置５０の動作を示すフローチャートである。例えば、制御部５４は、表示部５２が入力部としての機能を有する場合、表示部５２に対する操作者の入力に基づいて、処理を開始する。又は、制御部５４は、検査装置５０が入力部を備える場合、当該入力部に対する操作者の入力に基づいて、処理を開始してもよい。
【００８４】
制御部５４は、調整部５１を制御して太陽電池ストリング１１の電流電圧特性を取得する（ステップＳ１０）。
【００８５】
制御部５４は、ステップＳ１０の処理で取得した太陽電池ストリング１１の電流電圧特性に基づいて、太陽電池ストリング１１の電流の割合を算出する（ステップＳ１１）。当該電流の割合は、太陽電池ストリング１１の電流電圧特性において、所定電圧領域における太陽電池ストリング１１の電流に対する、当該所定電圧領域より高い電圧領域における太陽電池ストリング１１の電流の割合であってよい。当該所定領域より高い電圧領域は、図４に示す電圧Ｖ１［Ｖ］又は電圧Ｖ２［Ｖ］であってよい。又は、当該電流の割合は、図４に示すような、所定電圧領域よりも高い電圧における実線ｓ１２の電流に対する実線ｓ１１の電流の割合であってよい。
【００８６】
制御部５４は、ステップＳ１１の処理で算出した電流の割合が閾値を下回るか否か判定する（ステップＳ１２）。制御部５４は、電流の割合が閾値を下回ると判定するとき（ステップＳ１２：Ｙｅｓ）、ステップＳ１３の処理に進む。一方、制御部５４は、電流の割合が閾値以上であると判定するとき（ステップＳ１２：Ｎｏ）、処理を終了する。
【００８７】
制御部５４は、ステップＳ１０の処理で取得した電流電圧特性に基づいて、太陽電池ストリング１１の電流特性が変化する複数の電圧範囲を設定する（ステップＳ１３）。
【００８８】
制御部５４は、調整部５１によって太陽電池ストリング１１の電圧が、ステップＳ１３の処理で設定した電圧範囲のそれぞれに含まれるように、制御する（ステップＳ１４）。制御部５４は、太陽電池ストリング１１の電圧が高い電圧範囲から低い電圧範囲の順になるように制御する場合、最初のステップＳ１４の処理では、太陽電池ストリング１１の電圧が最も高い電圧範囲になるように制御する。
【００８９】
制御部５４は、測定部４０に、太陽電池ストリング１１の温度分布を測定させる（ステップＳ１５）。
【００９０】
ステップＳ１６の処理では、制御部５４は、ステップＳ１３の処理で設定した複数の電圧範囲の全てにおいて、測定部４０が太陽電池ストリング１１の温度分布を測定したか否か判定する。制御部５４は、複数の電圧範囲の全てにおいて測定部４０が太陽電池ストリング１１の温度分布を測定したと判定するとき（ステップＳ１６：Ｙｅｓ）、処理を終了する。一方、制御部５４は、複数の電圧範囲の全てにおいて測定部４０が太陽電池ストリング１１の温度分布を測定したと判定しないとき（ステップＳ１６：Ｎｏ）、ステップＳ１４の処理に戻る。
【００９１】
以上述べたように、一実施形態に係る検査システム４では、測定部４０が太陽電池ストリング１１の温度分布を測定する際、制御部５４は、太陽電池ストリング１１の電圧が、複数の電圧範囲内のそれぞれに含まれるように制御する。当該複数の電圧範囲は、太陽電池ストリング１１の電流特性が変化する電圧範囲である。当該複数の電圧範囲では、上述のように、異常の度合いが大きい太陽電池モジュール１２の方が、バイパスダイオード１５が発熱する電圧範囲が高くなる。また、当該複数の電圧範囲では、異常の度合いが小さい太陽電池モジュール１２の方が、バイパスダイオード１５が発熱する電圧範囲が低くなる。従って、当該複数の電圧範囲における、バイパスダイオード１５が発熱する電圧範囲の高さから、当該バイパスダイオード１５を有する太陽電池モジュール１２の異常の度合いを検出することが可能になる。よって、本実施形態によれば、異常である太陽電池モジュール１２を精度良く検出することができる。そのため、異常の度合いが大きい太陽電池モジュール１２に関しては交換する、異常の度合いが中程度の太陽電池モジュール１２に関しては劣化の経過を観察する等の対応をとることができる。
【００９２】
（他の実施形態）
他の実施形態では、図１に示す制御部５４は、太陽電池ストリング１１の出力特性として電力電圧特性を取得する。制御部５４は、調整部５１を制御して、太陽電池ストリング１１の電力電圧特性を取得する。
【００９３】
図９は、本開示の他の実施形態に係る太陽電池ストリング１１の電力電圧特性の一例を示すグラフである。図１０は、本開示の他の実施形態に係る太陽電池ストリング１１の電力電圧特性の別の例を示すグラフである。図９及び図１０において、グラフの縦軸は電力［Ｗ］を示す。また、グラフの横軸は電圧［Ｖ］を示す。
【００９４】
図９に示す太陽電池ストリング１１の電力電圧特性は、極大値を１つ有する。図１に示す制御部５４は、太陽電池ストリング１１が有する複数の太陽電池モジュール１２の全てが正常であるとき、図９に示すような、太陽電池ストリング１１の電力電圧特性を取得する。一実施形態にて上述したように、正常である太陽電池モジュール１２同士では、電流電圧特性は、ほぼ同一となる。そのため、太陽電池ストリング１１において複数の太陽電池モジュール１２の全てが正常であるとき、図９に示すように、太陽電池ストリング１１の電力電圧特性には、極大値が１つ生じる。
【００９５】
図１０に示す太陽電池ストリング１１の電力電圧特性は、複数の極大値を有する。図１に示す制御部５４は、太陽電池ストリング１１が有する複数の太陽電池モジュール１２の少なくとも１つが異常である場合、図１０に示すような、太陽電池ストリング１１の電力電圧特性を取得する。一実施形態にて上述したように、異常である太陽電池モジュール１２の電流電圧特性と、正常である太陽電池モジュール１２の電流電圧特性は、異なる。そのため、太陽電池ストリング１１において、複数の太陽電池モジュール１２の少なくとも１つが異常であるとき、図１０に示すように、太陽電池ストリングの電力電圧特性には、複数の極大値が生じる。
【００９６】
図１に示す制御部５４は、取得した太陽電池ストリング１１の電力電圧特性に基づいて、電圧に対する電力の変化率（以下、「電力変化率」と略記する）を算出する。例えば、制御部５４は、太陽電池ストリング１１の電力電圧特性の近似関数を算出してよい。さらに、制御部５４は、当該近似関数を微分することにより、導関数を算出してよい。加えて、制御部５４は、当該導関数から、電力変化率を算出してよい。
【００９７】
図１１は、図９に示す電力電圧特性における電力変化率を示すグラフである。図１２は、図１０に示す電力電圧特性における電力変化率を示すグラフである。図１１及び図１２において、グラフの縦軸は電力変化率［Ｗ／Ｖ］を示す。また、グラフの横軸は電圧［Ｖ］を示す。
【００９８】
図１１に示すように、太陽電池ストリング１１において複数の太陽電池モジュール１２の全てが正常であるとき、電力変化率が０となる１つのポイントｐ１が生じる。また、図１２に示すように、太陽電池ストリング１１において複数の太陽電池モジュール１２の少なくとも１つが異常であるとき、電力変化率が０となる複数のポイントｐ１１，ｐ１２，ｐ１３，ｐ１４が生じる。
【００９９】
図１１及び図１２から分かるように、太陽電池ストリング１１において複数の太陽電池モジュール１２の全て正常であるとき、１つの電圧において電力変化率が０となる。また、太陽電池ストリング１１において複数の太陽電池モジュール１２の少なくとも１つが異常であるとき、複数の電圧値において電力変化率が０となる。
【０１００】
他の実施形態では、図１に示す制御部５４は、複数の電圧値において電力変化率が０となるとき、太陽電池ストリング１１において複数の太陽電池モジュール１２の少なくとも１つが異常であると判定してよい。さらに、制御部５４は、太陽電池ストリング１１において複数の太陽電池モジュール１２の少なくとも１つが異常であると判定するとき、測定部４０に太陽電池ストリング１１の温度分布を測定させてよい。
【０１０１】
制御部５４は、測定部４０が温度分布を測定する際、太陽電池ストリング１１の電圧が、太陽電池ストリング１１の電流特性が変化する複数の電圧範囲内のそれぞれに含まれるように、制御してよい。他の実施形態では、制御部５４は、算出した電力変化率に基づいて、複数の電圧範囲を設定してよい。
【０１０２】
例えば、制御部５４は、算出した電力変化率が、電圧の増加に従い、負から正に変化した後に正から負に変化する電圧領域に基づいて、電圧範囲を設定する。図１２では、電力変化率は、電圧の増加に従い、ポイントｐ１２で負から正に変化した後、ポイントｐ１３で正から負に変化する。この場合、制御部５４は、ポイントｐ１２とポイントｐ１３との間の電圧領域に基づいて、電圧範囲Ｔ１２を設定する。また、図１２では、電力変化率は、電圧の増加に従い、ポイントｐ１４で負から正に変化した後、ポイントｐ１５で正から負に変化する。この場合、制御部５４は、ポイントｐ１４とポイントｐ１５との間の電圧領域に基づいて、電圧範囲Ｔ１３を設定する。
【０１０３】
また、例えば、制御部５４は、所定電圧と、電力変化率が電圧の増加に従い最初に正から負に変化する電圧とに基づいて、複数の電圧範囲のうち、最も低い電圧範囲を設定する。所定電圧は、図１に示す電力変換装置３０の電圧の下限値であってよい。図１２では、電力変化率は、電圧の増加に従い、ポイントｐ１１で最初に正から負に変化する。また、図１に示す電力変換装置３０の電圧の下限値は、４．０［Ｖ］である。この場合、制御部５４は、所定電圧の４［Ｖ］と、ポイントｐ１１の電圧とに基づいて、最も低い電圧範囲Ｔ１１を設定する。
【０１０４】
図１に示す制御部５４は、測定部４０が温度分布を測定する際、太陽電池ストリング１１の電圧が、図１２に示す電圧範囲Ｔ１１，Ｔ１２，Ｔ１３内になるように制御する。このような制御によって、上述の図５〜図７に示すような温度分布が取得され得る。
【０１０５】
制御部５４は、一実施形態と同様に、測定部４０が測定した温度分布に基づいて、異常である太陽電池モジュール１２の位置情報を取得してよい。異常である太陽電池モジュール１２の位置情報を取得することで、施工業者等は、異常である太陽電池モジュール１２を速やかに確認することができる。
【０１０６】
制御部５４は、一実施形態と同様に、太陽電池ストリング１１の電圧が複数の電圧範囲Ｔ１１〜Ｔ１３において高い電圧範囲から低い電圧範囲の順になるように、制御してよい。このような制御によって、上述のように、太陽電池ストリング１１の温度分布の測定をスムーズに実行することができる。
【０１０７】
［システムの動作］
図１３は、本開示の他の実施形態に係る検査装置５０の動作を示すフローチャートである。例えば、制御部５４は、表示部５２が入力部としての機能を有する場合、表示部５２に対する操作者の入力に基づいて、処理を開始する。又は、制御部５４は、検査装置５０が入力部を備える場合、当該入力部に対する操作者の入力に基づいて、処理を開始してもよい。
【０１０８】
制御部５４は、調整部５１を制御して太陽電池ストリング１１の電力電圧特性を取得する（ステップＳ２０）。制御部５４は、ステップＳ２０の処理で取得した太陽電池ストリング１１の電力電圧特性に基づいて、電力変化率を算出する（ステップＳ２１）。
【０１０９】
制御部５４は、ステップＳ２１の処理で算出した電力変化率が複数の電圧値において０となるか否か判定する（ステップＳ２２）。制御部５４は、算出した電力変化率が複数の電圧値において０となると判定するとき（ステップＳ２２：Ｙｅｓ）、ステップＳ２３の処理に進む。一方、制御部５４は、算出した電力変化率が複数の電圧値において０となると判定しないとき（ステップＳ２２：Ｎｏ）、すなわち、算出した電力変化率が１つの電圧において０となると判定するとき、処理を終了する。
【０１１０】
ステップＳ２３の処理では、制御部５４は、ステップＳ２１の処理で算出した電力変化率に基づいて、複数の電圧範囲を設定する。
【０１１１】
制御部５４は、図８に示すステップＳ１４，Ｓ１５，Ｓ１６の処理と同様にして、ステップＳ２４，Ｓ２５，Ｓ２６の処理を実行する。
【０１１２】
以上述べた他の実施形態に係る検査システム４は、一実施形態に係る検査システム４と同様の効果を奏することができる。
【０１１３】
本開示を諸図面及び実施例に基づき説明してきたが、当業者であれば本開示に基づき種々の変形および修正を行うことが容易であることに注意されたい。従って、これらの変形及び修正は本発明の範囲に含まれることに留意されたい。例えば、各機能部、各手段等に含まれる機能等は論理的に矛盾しないように再配置可能であり、複数の機能部等を１つに組み合わせたり、或いは分割したりすることが可能である。また、上述した本開示の各実施形態は、それぞれ説明した各実施形態に忠実に実施することに限定されるものではなく、適宜、各特徴を組み合わせたり、一部を省略したりして実施することもできる。
【符号の説明】
【０１１４】
１  太陽光発電システム
２  商用電力系統
３  負荷
４  検査システム
１０  太陽電池
１１，１１−１，１１−２，１１−３  太陽電池ストリング
１２，１２−１，１２−２，１２−３，１２−４  太陽電池モジュール
１３，１３−１，１３−２，１３−３  クラスタ
１４  太陽電池セル
１５，１５−１，１５−２，１５−３  バイパスダイオード
２０  接続箱
３０  電力変換装置
４０  測定部
５０  検査装置
５１  調整部
５２  表示部
５３  記憶部
５４  制御部
Ｐ１  正極端子
Ｐ２  負極端子
【図１】
2019176636.tif 000003
【図２】
2019176636.tif 000004
【図３】
2019176636.tif 000005
【図４】
2019176636.tif 000006
【図５】
2019176636.tif 000007
【図６】
2019176636.tif 000008
【図７】
2019176636.tif 000009
【図８】
2019176636.tif 000010
【図９】
2019176636.tif 000011
【図１０】
2019176636.tif 000012
【図１１】
2019176636.tif 000013
【図１２】
2019176636.tif 000014
【図１３】
2019176636.tif 000015